(57)【要約】【課題】温度の検出を必要とせずに各発光素子の温度に起因した階調の誤差を低減する。【解決手段】各信号線１４には画素回路ＰIXが接続される。信号線駆動回路３４は、各信号線１４に対応する複数の単位回路５０を含む。第ｎ列の単位回路５０の出力回路５６は、階調データＱ[m,n]_kに応じた階調信号Ｘ[n]を信号線１４に出力する。保持回路６０は、補正後の階調データＱ[m,n]_kに対応した参照データＲ[m,n]_kを保持する。補正回路５２は、第ｎ列の信号線１４に対応する画素回路ＰIXの階調データＰ[m,n]_kを順次に取得し、当該画素回路ＰIXの過去の階調データＰ[m,n]_kに対応した参照データＲ[m,n]_k-1に応じて階調データＰ[m,n]_kを補正することで階調データＱ[m,n]_kを生成する。【選択図】図４
2010107809.tif 000002
【特許請求の範囲】
【請求項１】
複数の信号線の各々に対応して配置され、前記信号線に供給される階調信号に応じて階調が制御される複数の発光素子と、
前記各信号線に対応する複数の単位回路を含む信号線駆動回路とを具備し、
前記複数の信号線のうち一の信号線に対応する単位回路は、
前記一の信号線に対応する前記発光素子の階調データを順次に取得および補正する補正手段と、
前記補正後の階調データに応じた前記階調信号を前記一の信号線に出力する出力手段と、
前記補正後の階調データに対応した参照データを保持する保持手段とを含み、
前記補正手段は、前記発光素子の階調データを、当該発光素子の過去の階調データに対応した参照データを利用して補正する
発光装置。
【請求項２】
複数の走査線と複数の信号線との各交差に対応して配置され、前記走査線の選択時に前記信号線に供給される階調信号に応じて階調が制御される複数の発光素子と、
前記複数の走査線の各々を順次に選択する走査線駆動回路と、
前記各信号線に対応する複数の単位回路を含む信号線駆動回路とを具備し、
前記複数の信号線のうち一の信号線に対応する単位回路は、
前記一の信号線に対応する前記各発光素子の階調データを順次に取得および補正する補正手段と、
前記補正後の階調データに応じた前記階調信号を前記走査線の選択毎に前記一の信号線に出力する出力手段と、
前記補正後の階調データに対応した参照データを保持する保持手段とを含み、
前記補正手段は、前記各発光素子の階調データを、当該発光素子の過去の階調データに対応した参照データを利用して補正する
発光装置。
【請求項３】
前記補正手段は、前記参照データの示す階調が高いほど前記補正後の階調データの示す階調が低くなるように前記階調データを補正する
請求項１または請求項２の発光装置。
【請求項４】
前記補正手段は、前記参照データの示す階調が高いほど小さくなるように算定された係数を乗算することで前記階調データを補正する
請求項３の発光装置。
【請求項５】
前記補正手段は、一の発光素子の階調データを、当該一の発光素子の過去の階調データに対応した参照データと、当該一の発光素子の一方側に位置する他の発光素子の階調データに対応した参照データとを利用して補正する
請求項１から請求項４の何れかの発光装置。
【請求項６】
前記補正手段は、前記一の発光素子の一方側に位置する発光素子の参照データと、前記一の発光素子の他方側に位置する発光素子の参照データとの加算値が大きいほど小さくなるように算定された係数を乗算することで前記一の発光素子の階調データを補正する
請求項５の発光装置。
【請求項７】
前記補正手段は、
複数の範囲のうち前記過去の階調データに対応した参照データの数値が属する範囲について設定された係数を使用して階調データを補正する
請求項１または請求項２の発光装置。
【請求項８】
前記保持手段は、複数のビットで構成される前記階調データのうち上位に位置する一部のビットを前記参照データとして保持する
請求項１から請求項７の何れかの発光装置。
【請求項９】
請求項１から請求項８の何れかの発光装置を具備する電子機器。
【発明の詳細な説明】
【技術分野】
【０００１】
本発明は、有機ＥＬ素子などの発光素子を駆動する技術に関する。
【背景技術】
【０００２】
発光素子の電気的な特性（例えば印加電圧と輝度または電流との関係）は発光素子の温度に応じて変化する。特許文献１には、走査線駆動回路に走査線毎に設置された温度検出体（サーミスタ）の検出温度に応じて各走査線の電位を制御することで、温度の変化に起因した各発光素子の階調の誤差を補償する技術が開示されている。
【特許文献１】特開２０００−２１４８２４号公報
【発明の開示】
【発明が解決しようとする課題】
【０００３】
しかし、特許文献１の技術においては走査線毎に温度検出体を設置する必要があるから、発光装置（走査線駆動回路）が大型化するとともに製造コストが増大するという問題がある。以上の事情に鑑みて、本発明は、発光装置の温度の検出を不要としながら各発光素子の階調の誤差を低減することを目的とする。
【課題を解決するための手段】
【０００４】
以上の課題を解決するために、本発明に係る発光装置は、複数の信号線の各々に対応して配置され、信号線に供給される階調信号に応じて階調が制御される複数の発光素子と、各信号線に対応する複数の単位回路を含む信号線駆動回路とを具備し、複数の信号線のうち一の信号線に対応する単位回路は、一の信号線に対応する発光素子の階調データを順次に取得および補正する補正手段と、補正後の階調データに応じた階調信号を一の信号線に出力する出力手段と、補正後の階調データに対応した参照データを保持する保持手段とを含み、補正手段は、発光素子の階調データを、当該発光素子の過去の階調データに対応した参照データを利用して補正する。
【０００５】
また、本発明に係る発光装置は、複数の走査線と複数の信号線との各交差に対応して配置され、走査線の選択時に信号線に供給される階調信号に応じて階調が制御される複数の発光素子と、複数の走査線の各々を順次に選択する走査線駆動回路と、各信号線に対応する複数の単位回路を含む信号線駆動回路とを具備し、複数の信号線のうち一の信号線に対応する単位回路は、一の信号線に対応する各発光素子の階調データを順次に取得および補正する補正手段と、補正後の階調データに応じた階調信号を走査線の選択毎に一の信号線に出力する出力手段と、補正後の階調データに対応した参照データを保持する保持手段とを含み、補正手段は、各発光素子の階調データを、当該発光素子の過去の階調データに対応した参照データを利用して補正する。
【０００６】
以上の各構成においては、過去の補正後の階調データに対応した参照データに応じて階調データが補正されるから、発光素子の温度を検出する要素（例えばサーミスタ）を必要とせずに、各発光素子の温度の変化に起因した階調の誤差を低減することが可能である。
【０００７】
本発明の好適な態様において、参照データの示す階調が高いほど補正後の階調データの示す階調が低くなるように階調データを補正する。以上の態様においては、参照データの階調が高いほど低い階調を指定するように補正後の階調データが生成されるから、過去に高階調が指定された発光素子の温度の上昇が有効に抑制される。例えば、補正手段は、参照データの示す階調が高いほど小さくなるように算定された係数を乗算することで階調データを補正する。
【０００８】
本発明の好適な態様において、補正手段は、一の発光素子の階調データを、当該一の発光素子の過去の階調データに対応した参照データと、当該一の発光素子の一方側に位置する他の発光素子の階調データに対応した参照データとを利用して補正する。以上の態様においては、一の発光素子の階調データの補正に他の発光素子の参照データが使用されるから、周囲の発光素子の温度の変化に起因した各発光素子の階調の誤差も低減される。例えば、補正手段は、一の発光素子の一方側に位置する発光素子の参照データと、一の発光素子の他方側に位置する発光素子の参照データとの加算値が大きいほど小さくなるように算定された係数を乗算することで一の発光素子の階調データを補正する。
【０００９】
補正手段による補正の方法は、参照データを変数とした演算に限定されない。具体的には、補正後の階調データの生成に参照データを直接的には使用しない構成も採用される。例えば、補正手段は、複数の範囲のうち過去の階調データに対応した参照データの数値が属する範囲について設定された係数を使用して階調データを補正する。
【００１０】
補正後の階調データに対応した参照データを保持する構成は、補正後の階調データをそのまま参照データとして保持手段に保持する構成と、補正後の階調データを所定の規則で変換した参照データを保持手段に保持する構成とを包含する。後者の構成としては、例えば、補正後の階調データを構成する複数のビットのうち上位に位置する一部のビットを参照データとして保持する構成が好適である。
【００１１】
本発明に係る発光装置は各種の電子機器に利用される。電子機器の典型例は、発光装置を表示装置として利用した機器である。本発明に係る電子機器としてはパーソナルコンピュータや携帯電話機が例示される。もっとも、本発明に係る発光装置の用途は画像の表示に限定されない。例えば、光線の照射によって感光体ドラムなどの像担持体に潜像を形成するための露光装置（露光ヘッド）としても本発明の発光装置が適用される。
【発明を実施するための最良の形態】
【００１２】
＜Ａ：第１実施形態＞
図１は、本発明の第１実施形態に係る発光装置のブロック図である。発光装置１００は、画像を表示する表示装置として電子機器に搭載される。図１に示すように、発光装置１００は、発光素子Ｅを含む複数の画素回路ＰIXが配列された素子部（表示領域）１０と、各画素回路ＰIXを駆動する駆動回路３０と、駆動回路３０を制御する制御回路３６とを具備する。駆動回路３０は、走査線駆動回路３２と信号線駆動回路３４とを含んで構成される。
【００１３】
素子部１０には、ｘ方向に延在するＭ本の走査線１２と、ｘ方向に交差するｙ方向に延在するＮ本の信号線１４とが形成される（ＭおよびＮは自然数）。各画素回路ＰIXは、走査線１２と信号線１４との各交差に対応して配置される。したがって、複数の画素回路ＰIXは、ｘ方向およびｙ方向に沿ってＭ行×Ｎ列の行列状に配列する。
【００１４】
制御回路３６は、各画素回路ＰIXの駆動に使用される信号を駆動回路３０に出力する。例えば、制御回路３６は、水平走査期間や垂直走査期間を規定する同期信号を走査線駆動回路３２および信号線駆動回路３４に供給し、各画素回路ＰIX（発光素子Ｅ）の階調を指定する階調データＰを信号線駆動回路３４に供給する。階調データＰは、例えば、最低階調を意味するゼロから最高階調を意味する255までの256段階の何れかの数値を画素回路ＰIXの階調として指定する８ビットのデジタルデータである。
【００１５】
走査線駆動回路３２は、走査信号Ｙ（Ｙ[1]〜Ｙ[M]）の出力でＭ本の走査線１２の各々を順次に選択する。図２に示すように、第ｍ行（ｍ＝１〜Ｍ）の走査線１２に出力される走査信号Ｙ[m]は、垂直走査期間Ｆ（……，Ｆ[k]，Ｆ[k+1]，……）内の第ｍ番目の水平走査期間Ｈ[m]にて選択電位（走査線１２の選択を意味するアクティブレベル）に制御され、水平走査期間Ｈ[m]以外で非選択電位（非アクティブレベル）に維持される。
【００１６】
図１の信号線駆動回路３４は、制御回路３６から供給される階調データＰに基づいて階調信号Ｘ（Ｘ[1]〜Ｘ[N]）を生成して各信号線１４に出力する。信号線駆動回路３４は、各信号線１４に対応するＮ個の単位回路５０を含んで構成される。第ｎ列（ｎ＝１〜Ｎ）の単位回路５０は階調信号Ｘ[n]を第ｎ列の信号線１４に出力する。図２に示すように、第ｍ行の走査線１２が選択される水平走査期間Ｈ[m]にて第ｎ列の単位回路５０が信号線１４に出力する階調信号Ｘ[n]は、第ｍ行の第ｎ列に位置する画素回路ＰIXに指定された階調に応じた電位Ｖ[m,n]に設定される。
【００１７】
図３は、画素回路ＰIXの構成を例示する回路図である。図３においては、第ｍ行の第ｎ列に位置する１個の画素回路ＰIXのみが代表的に図示されている。図３に示すように、画素回路ＰIXは、発光素子Ｅと駆動トランジスタＴDRと選択スイッチＴSLと保持容量Ｃとを含んで構成される。
【００１８】
発光素子Ｅと駆動トランジスタＴDRとは、高位側の電源電位ＶHが供給される給電線１６と低位側の電源電位ＶLが供給される給電線（接地線）１８との間に直列に配置される。発光素子Ｅは、相対向する陽極と陰極との間に有機ＥＬ（Electroluminescence）材料の発光層を介在させた有機ＥＬ素子である。発光素子Ｅの陰極は給電線１８に接続される。発光素子Ｅは、駆動電流ＩDRの電流量に応じた輝度で発光する。
【００１９】
駆動トランジスタＴDRは、自身のゲートの電位に応じて駆動電流ＩDR（ソース−ドレイン間の電流）の電流量を制御するＰチャネル型のトランジスタ（例えば薄膜トランジスタ）である。駆動トランジスタＴDRのソースは給電線１６に接続され、ドレインは発光素子Ｅの陽極に接続される。保持容量Ｃは、駆動トランジスタＴDRのゲートと給電線１６（または他の定電位線）との間に介在して駆動トランジスタＴDRのゲートの電位を保持する。
【００２０】
選択スイッチＴSLは、駆動トランジスタＴDRのゲートと第ｎ列の信号線１４との間に介在して両者の電気的な接続（導通／非導通）を制御するＮチャネル型のトランジスタである。第ｍ行の各画素回路ＰIXの選択スイッチＴSLは、第ｍ行の走査線１２に対して共通に接続される。したがって、走査信号Ｙ[m]が選択電位に設定されると（すなわち第ｍ行が選択されると）、第ｍ行の各画素回路ＰIXの選択スイッチＴSLが同時にオン状態に遷移して駆動トランジスタＴDRのゲートが信号線１４に導通する。
【００２１】
走査信号Ｙ[m]が水平走査期間Ｈ[m]にて選択電位に設定されると、信号線１４に供給されている階調信号Ｘ[n]の電位Ｖ[m,n]が選択スイッチＴSLを経由して駆動トランジスタＴDRのゲートに供給される。駆動トランジスタＴDRのゲートの電位は、走査信号Ｙ[m]が非選択電位に設定されて選択スイッチＴSLがオフ状態に遷移しても保持容量Ｃによって電位Ｖ[m,n]に保持される。以上の状態においては、駆動トランジスタＴDRのゲートの電位Ｖ[m,n]に応じた電流量の駆動電流ＩDRが給電線１６から駆動トランジスタＴDRを経由して発光素子Ｅに供給される。したがって、発光素子Ｅは、水平走査期間Ｈ[m]における階調信号Ｘ[n]の電位Ｖ[m,n]に応じた階調（輝度）に制御される。
【００２２】
図４は、信号線駆動回路３４の各単位回路５０のブロック図である。図４においては第ｎ列に位置する１個の単位回路５０のみが代表的に図示されている。図４に示すように、単位回路５０は、補正回路５２と保持回路５４と出力回路５６と保持回路６０とを含んで構成される。補正回路５２には制御回路３６から順次に階調データＰが供給される。図２や図４における階調データＰ[m,n]_kは、第ｍ行の第ｎ列に位置する画素回路ＰIXについて第ｋ番目の垂直走査期間Ｆ[k]での階調を指定するデータを意味する。階調データＰ以外の符号（Ｑ[m,n]_k，Ｒ[m,n]_k）も同様である。
【００２３】
図２に示すように、第ｎ列の単位回路５０の補正回路５２は、第ｎ列のＭ個の画素回路ＰIXの階調データＰ（Ｐ[1,n]_k〜Ｐ[M,n]_k）を水平走査期間Ｈ毎に順次に制御回路３６から取得する。第ｍ行の画素回路ＰIXの階調データＰ[m,n]_kは、第ｍ行が選択される水平走査期間Ｈ[m]の直前の水平走査期間Ｈ[m-1]にて補正回路５２に供給される。補正回路５２は、階調データＰ[m,n]_kを補正することで階調データＱ[m,n]_kを順次に生成および出力する。階調データＰ[m,n]_kの補正の方法については後述する。
【００２４】
図４に示すように、保持回路５４および保持回路６０には共通の保持信号Ｌが制御回路３６から供給される。保持回路５４は、補正回路５２が出力する補正後の階調データＱ[m,n]_kを保持信号Ｌの立上がりの時点で出力および保持するメモリ（ラッチ回路）である。図２に示すように、保持信号Ｌの周期は水平走査期間Ｈに相当する。したがって、保持回路５４からの出力は、補正回路５２による階調データＱ[m,n]_kの出力に同期して水平走査期間Ｈ毎に変化する。すなわち、図２に示すように、第ｍ行の画素回路ＰIXに対応する補正後の階調データＱ[m,n]_kは、第ｍ行が選択される水平走査期間Ｈ[m]にて保持回路５４から出力および保持される。保持回路５４が出力する階調データＱ[m,n]_kは、図４の出力回路５６と保持回路６０とに供給される。
【００２５】
出力回路５６は、保持回路５４から出力される階調データＱ[m,n]_kに応じた電位Ｖ[m,n]_kの階調信号Ｘ[n]を出力する。すなわち、図２を参照して前述したように、第ｍ行が選択される水平走査期間Ｈ[m]にて第ｎ列の信号線１４に出力される階調信号Ｘ[n]は、補正後の階調データＱ[m,n]_kに応じた電位Ｖ[m,n]_kに設定される。例えば電圧出力型のＤ/Ａ変換器が出力回路５６として好適に採用される。
【００２６】
図４の保持回路６０は、保持回路５４が出力する補正後の各階調データＱ[m,n]_kを参照データＲ[m,n]_kとして保持する。垂直走査期間Ｆ[k]における第ｍ行の画素回路ＰIXの参照データＲ[m,n]_kは、次回の垂直走査期間Ｆ[k+1]において同じ画素回路ＰIXの階調データＰ[m,n]_k+1が補正回路５２に供給される水平走査期間Ｈ[m-1]にて保持回路６０から補正回路５２に出力される。すなわち、保持回路６０は、水平走査期間Ｈの(Ｍ−１)個分に相当する時間だけ参照データＲ[m,n]_kを遅延させたうえで補正回路５２に出力する。
【００２７】
例えば、保持回路６０は、相互に縦続に接続された(Ｍ−１)段の単位部（ラッチ回路）６２で構成される。各単位部６２は、前段の単位部６２から供給される参照データＲ[m,n]_k（第１段の単位部６２については保持回路５４から供給される階調データＱ[m,n]_k）を保持信号Ｌの立上がりの時点にて順次に取込んで後段の単位部６２に出力する。すなわち、参照データＲ[m,n]_kは水平走査期間Ｈ毎に順次に転送され、保持回路６０に対する供給の時点から水平走査期間Ｈの(Ｍ−１)個分の時間が経過した時点で補正回路５２に出力される。したがって、図２に示すように、垂直走査期間Ｆ[k]における第ｍ行の第ｎ列の画素回路ＰIXの階調データＰ[m,n]_kが補正回路５２に供給される水平走査期間Ｈ[m-1]では、直前の垂直走査期間Ｆ[k-1]における当該画素回路ＰIXの階調（すなわち過去の階調）を指定する参照データＲ[m,n]_k-1が保持回路６０から補正回路５２に供給される。
【００２８】
補正回路５２は、水平走査期間Ｈ[m-1]において、制御回路３６から供給される階調データＰ[m,n]_kを、保持回路６０から供給される参照データＲ[m,n]_k-1（すなわち過去の階調データＰ[m,n]_k-1の補正後の階調データＱ[m,n]_k-1）に応じて補正することで階調データＱ[m,n]_kを生成する。さらに詳述すると、補正回路５２は、参照データＲ[m,n]_k-1の示す階調が高いほど補正後の階調データＱ[m,n]_kの示す階調が低くなるように階調データＰ[m,n]_kを補正する。
【００２９】
例えば、補正回路５２は、以下の数式(1)の演算を実行することで補正後の階調データＱ[m,n]_kを算定する。数式(1)の係数αは、数式(1a)で定義されるように、参照データＲ[m,n]_k-1の数値（階調）が大きいほど小さくなるように算定される（α≦１）。
Ｑ[m,n]_k＝Ｐ[m,n]_k×α  ……(1)
α＝１−Ｒ[m,n]_k-1／ｄ  ……(1a)
【００３０】
数式(1a)の除数ｄは、参照データＲ[m,n]_k-1が階調データＰ[m,n]_kの補正に寄与する度合の指標となる数値である。すなわち、除数ｄが小さいほど、補正後の階調データＱ[m,n]_kに対する参照データＲ[m,n]_k-1の影響は大きくなる。除数ｄは、階調データＰ[m,n]_kから階調データＱ[m,n]_kへの変化が発光素子Ｅの階調の変化に過度に影響しないように（例えば、発光素子Ｅの階調の変化が観察者に知覚されないように）、実験的または統計的に選定される。ただし、利用者が除数ｄを適宜に設定できる構成も好適である。また、除数ｄを２のべき乗とすれば、数式(1a)の除算を参照データＲ[m,n]_k-1のビットシフトのみで実現できる（補正回路５２における演算が簡素化される）という利点がある。
【００３１】
いま、参照データＲ[m,n]_k-1（階調データＱ[m,n]_k-1）がゼロから255までの範囲内で設定されることを考慮して除数ｄを1024（＝２10）に設定すると、係数αは、0.75以上かつ１以下の範囲内で可変に設定される。したがって、参照データＲ[m,n]_k-1が、最低階調（発光素子Ｅの非発光）を意味するゼロである場合、補正後の階調データＱ[m,n]_kは補正前の階調データＰ[m,n]_kから変化しない（α＝１）。一方、参照データＲ[m,n]_k-1が、最低階調を意味する255である場合、補正後の階調データＱ[m,n]_kは、補正前の階調データＰ[m,n]_kに0.75を乗算した数値（階調）を指定する。
【００３２】
以上の形態においては、画素回路ＰIXに対して過去に指定された階調が高いほど（すなわち発光素子Ｅに供給された駆動電流ＩDRの電流量が大きいほど）、補正後の階調データＱの階調が低くなるように階調データＰが補正される。さらに詳述すると、垂直走査期間Ｆ[k-1]内の水平走査期間Ｈ[m]での階調データＱ[m,n]_k-1の階調が高いほど、直後の垂直走査期間Ｆ[k]内の水平走査期間Ｈ[m]にて電位Ｖ[m,n]_kの設定に使用される階調データＱ[m,n]_kの示す階調は低下する。階調が高いほど（すなわち駆動電流ＩDRの電流量が大きいほど）発光素子Ｅの温度は上昇するから、第１実施形態によれば、駆動電流ＩDRの供給（すなわち発光）に起因した発光素子Ｅの温度の上昇が抑制される。したがって、発光素子Ｅの温度の検出する要素（例えばサーミスタ）を必要とせずに、各発光素子Ｅの温度の変化に起因した階調の誤差を低減することが可能である。
【００３３】
＜Ｂ：第２実施形態＞
次に、本発明の第２実施形態について説明する。なお、以下の各形態において作用や機能が第１実施形態と同等である要素については、以上と同じ符号を付して各々の詳細な説明を適宜に省略する。
【００３４】
図５は、第２実施形態における単位回路５０のブロック図である。図５に示すように、第ｍ行の第ｎ列の画素回路ＰIXの階調データＰ[m,n]_kが供給される垂直走査期間Ｆ[k]の水平走査期間Ｈ[m-1]において、第ｎ列の単位回路５０の補正回路５２には、当該画素回路ＰIXの過去の階調データＱ[m,n]_k-1に相当する参照データＲ[m,n]_k-1が第１実施形態と同様に供給されるほか、当該画素回路ＰIXに対してｘ方向の負側に位置（隣接）する第(n-1)列の画素回路ＰIXの参照データＲ[m,n-1]_k-1と、ｘ方向の正側に位置する第(n+1)列の画素回路ＰIXの参照データＲ[m,n+1]_k-1とが供給される。
【００３５】
参照データＲ[m,n-1]_k-1は、垂直走査期間Ｆ[k-1]における第ｍ行の第(n-1)列の画素回路ＰIXの補正後の階調データＱ[m,n-1]_k-1に相当する。参照データＲ[m,n+1]_k-1は、垂直走査期間Ｆ[k-1]における第ｍ行の第(n+1)列の画素回路ＰIXの補正後の階調データＱ[m,n+1]_k-1に相当する。参照データＲ[m,n-1]_k-1は第(n-1)列の単位回路５０の保持回路６０から第ｎ列の単位回路５０の補正回路５２に供給され、参照データＲ[m,n+1]_k-1は第(n+1)列の単位回路５０の保持回路６０から第ｎ列の単位回路５０の補正回路５２に供給される。
【００３６】
補正回路５２は、第ｎ列の参照データＲ[m,n]_k-1と第(n-1)列の参照データＲ[m,n-1]_k-1と第(n+1)列の参照データＲ[m,n+1]_k-1とに応じて階調データＰ[m,n]_kを補正することで階調データＱ[m,n]_kを生成する。さらに詳述すると、補正回路５２は、第ｎ列（自列）の参照データＲ[m,n]_k-1の示す階調が高いほど補正後の階調データＱ[m,n]_kの示す階調が低くなり、かつ、第(n-1)列の参照データＲ[m,n-1]_k-1または第(n+1)列の参照データＲ[m,n+1]_k-1が高いほど補正後の階調データＱ[m,n]_kの示す階調が低くなるように、階調データＰ[m,n]_kを補正する。
【００３７】
例えば、補正回路５２は、以下の数式(2)の演算を実行することで補正後の階調データＱ[m,n]_kを算定する。数式(2)の係数βは数式(2a)で定義される。数式(2b)で定義されるように、第ｎ列の参照データＲ[m,n]_k-1が大きいほど数式(2a)の係数β1は大きくなる（数式(2)の係数βは小さくなる）。また、数式(2c)で定義されるように、第(n-1)列の参照データＲ[m,n-1]_k-1と第(n+1)列の参照データＲ[m,n+1]_k-1との加算値が大きいほど数式(2a)の係数β2は大きくなる（数式(2)の係数βは小さくなる）。
Ｑ[m,n]_k＝Ｐ[m,n]_k×β  ……(2)
β＝１−（β1＋β2）  ……(2a)
β1＝Ｒ[m,n]_k-1／ｄ1  ……(2b)
β2＝（Ｒ[m,n-1]_k-1＋Ｒ[m,n+1]_k-1）／ｄ2  ……(2c)
【００３８】
なお、ｘ方向の負側に画素回路ＰIXが存在しない第１列の画素回路ＰIXの階調データＰ[m,1]_kは、自列の参照データＲ[m,1]_k-1と第２列の参照データＲ[m,2]_k-1とに応じて補正される。すなわち、数式(2c)におけるＲ[m,n-1]_k-1がゼロに設定される。同様に、第Ｎ列の画素回路ＰIXに対してｘ方向の正側に画素回路ＰIXは存在しないから、階調データＰ[m,N]_kは、自列の参照データＲ[m,N]_k-1と第(N-1)列の参照データＲ[m,N-1]_k-1とに応じて補正される。すなわち、数式(2c)におけるＲ[m,n+1]_k-1がゼロに設定される。
【００３９】
数式(2b)の除数ｄ1が小さいほど、参照データＲ[m,n]_k-1が階調データＰ[m,n]_kの補正に寄与する度合が大きくなる。同様に、数式(2c)の除数ｄ2が小さいほど、参照データＲ[m,n-1]_k-1と参照データＲ[m,n+1]_k-1との加算値が階調データＰ[m,n]_kの補正に寄与する度合が大きくなる。除数ｄ1および除数ｄ2は、階調データＰ[m,n]_kから階調データＱ[m,n]_kへの変化が発光素子Ｅの階調の変化に過度に影響しないように（例えば、発光素子Ｅの階調の変化が観察者に知覚されないように）、実験的または統計的に選定される。ただし、利用者が除数ｄ1や除数ｄ2を適宜に設定できる構成も好適である。
【００４０】
発光素子Ｅの電気的な特性は、他の発光素子Ｅの温度の上昇よりも自身の温度の上昇の影響を強く受ける。そこで、他の画素回路ＰIXの参照データＲ[m,n±1]_k-1よりも自身の参照データＲ[m,n]_k-1のほうが階調データＰ[m,n]_kの補正に寄与する度合が大きくなるように、除数ｄ1は除数ｄ2よりも小さい数値に設定される。また、除数ｄ1や除数ｄ2を２のべき乗に設定すれば、数式(2b)や数式(2c)の除算を参照データＲのビットシフトのみで実現できるという利点がある。
【００４１】
例えば、除数ｄ1を1024（＝２10）に設定するとともに除数ｄ2を4096（＝２12）に設定すると、数式(2b)の係数β1はゼロ以上かつ0.25以下の数値となり、数式(2c)の係数β2はゼロ以上かつ0.12以下の数値となる。したがって、係数βは、0.63（＝１−(0.25＋0.12)）以上かつ１以下の範囲内で可変に設定される。すなわち、第ｎ列の参照データＲ[m,n]_k-1および隣接列の参照データＲ[m,n±1]_k-1の双方が最低階調を意味するゼロである場合、補正後の第ｎ列の階調データＱ[m,n]_kは補正前の階調データＰ[m,n]_kから変化しない（β＝１）。一方、参照データＲ[m,n]_k-1および参照データＲ[m,n±1]_k-1の双方が最高階調を意味する255である場合、補正後の第ｎ列の階調データＱ[m,n]_kは、補正前の階調データＰ[m,n]_kに0.63を乗算した数値（階調）を指定する。
【００４２】
第２実施形態においては、各発光素子Ｅの過去の階調データＱ[m,n]_k-1（参照データＲ[m,n]_k-1）が階調データＰ[m,n]_kの補正に使用されるから、第１実施形態と同様の効果が実現される。さらに、第２実施形態においては、第ｎ列の発光素子Ｅの階調データＰ[m,n]_kの補正に第(n±1)列の各発光素子Ｅの過去の階調データＱ[m,n±1]_k-1（参照データＲ[m,n±1]_k-1）が使用されるから、周囲の発光素子Ｅの温度の変化に起因した各発光素子Ｅの階調の誤差も低減されるという利点がある。
【００４３】
＜Ｃ：第３実施形態＞
次に、本発明の第３実施形態について説明する。図６は、第３実施形態の動作のフローチャートである。階調データＰ[m,n]_kが制御回路３６から供給されるたびに第ｎ列の単位回路５０の補正回路５２が図６の処理を実行する。過去の補正後の階調データＱ[m,n]_k-1に相当する参照データＲ[m,n]_k-1が階調データＰ[m,n]_kと並列に補正回路５２に供給される動作は第１実施形態と同様である。
【００４４】
図６に示すように、補正回路５２は、保持回路６０から供給される参照データＲ[m,n]_k-1の数値が閾値ＤTH_Lを下回るか否かを判定する（ステップＳ1）。ステップＳ1の結果が肯定である場合（Ｒ[m,n]_k-1＜ＤTH_L）、補正回路５２は、所定の係数γ1を階調データＰ[m,n]_kに乗算することで補正後の階調データＱ[m,n]_kを算定する（ステップＳ2）。係数γ1は例えば１に設定される。したがって、ステップＳ2では階調データＰ[m,n]_kがそのままの内容で階調データＱ[m,n]_kとして出力される（ステップＳ2）。
【００４５】
ステップＳ1の結果が否定である場合、補正回路５２は、参照データＲ[m,n]_k-1の数値が閾値ＤTH_Hを下回るか否かを判定する（ステップＳ3）。閾値ＤTH_Hは、閾値ＤTH_Lを上回る数値に設定される。ステップＳ3の結果が肯定である場合（ＤTH_L≦Ｒ[m,n]_k-1＜ＤTH_H）、補正回路５２は、所定の係数γ2を階調データＰ[m,n]_kに乗算することで補正後の階調データＱ[m,n]_kを算定する（ステップＳ4）。係数γ2は、ステップＳ2の係数γ1を下回る数値に設定される（γ2＜γ1＝１）。したがって、参照データＲ[m,n]_k-1が閾値ＤTH_Lから閾値ＤTH_Hまでの中間調を指定する場合（Ｓ3：YES）の階調データＱ[m,n]_kは、参照データＲ[m,n]_k-1の数値がゼロから閾値ＤTH_Lまでの低階調を指定する場合（Ｓ1：YES）の階調データＱ[m,n]_kを下回る。
【００４６】
一方、ステップＳ3の結果が否定である場合（Ｒ[m,n]_k-1≧ＤTH_H）、補正回路５２は、所定の係数γ3を階調データＰ[m,n]_kに乗算することで補正後の階調データＱ[m,n]_kを算定する（ステップＳ5）。係数γ3は、ステップＳ4の係数γ2を下回る数値に設定される（γ3＜γ2＜γ1）。したがって、参照データＲ[m,n]_k-1が閾値ＤTH_Hを上回る高階調を指定する場合（Ｓ3：NO）の階調データＱ[m,n]_kは、参照データＲ[m,n]_k-1が閾値ＤTH_Lから閾値ＤTH_Hまでの中間調を指定する場合（Ｓ3：YES）の階調データＱ[m,n]_kを下回る。以上のように、画素回路ＰIXに対して過去に指定された階調が高いほど、補正後の階調データＱの階調が低くなるように階調データＰが補正される。したがって、第１実施形態と同様の効果が実現される。
【００４７】
以上に例示した閾値（ＤTH_L，ＤTH_H）や係数（γ1〜γ3）は、階調データＰ[m,n]_kから階調データＱ[m,n]_kへの変化が発光素子Ｅの階調の変化に過度に影響しないように（例えば、発光素子Ｅの階調の変化が観察者に知覚されないように）、実験的または統計的に選定される。なお、参照データＲ[m,n]_k-1の数値の範囲を区分した区間毎に別個の係数（γ1〜γ3）を適用する以上の構成では、参照データＲ[m,n]_k-1が１個の区間内で変化した場合でも、補正に適用される係数は変化しない。したがって、補正前の階調データＰ[m,n]_kと補正後の階調データＱ[m,n]_kとの関係を参照データＲ[m,n]_k-1に応じて精緻に制御するという観点からすると、参照データＲ[m,n]_k-1の数値の範囲を更に細分化することが望ましい。ただし、参照データＲ[m,n]_k-1の数値の範囲が細分化されるほど補正回路５２による判定の回数が増加する。一方、第１実施形態や第２実施形態のように階調データＱ[m,n]_kの演算の変数として直接的に参照データＲ[m,n]_k-1が使用される態様では、参照データＲ[m,n]_k-1の大小の判定を不要としながら、階調データＰ[m,n]_kと階調データＱ[m,n]_kとの関係を参照データＲ[m,n]_k-1に応じて精緻に制御できるという利点がある。
【００４８】
以上の例示から理解されるように、本発明は、参照データＲ[m,n]_k-1を変数とする演算で階調データＱ[m,n]_kを算定する態様（第１実施形態や第２実施形態）に加えて、階調データＱ[m,n]_kの算定に適用される係数（γ1〜γ3）を決定するための判定に参照データＲ[m,n]_k-1を利用する態様（すなわち、階調データＱ[m,n]_kの演算に直接的には参照データＲ[m,n]_k-1を使用しない態様）も包含する。
【００４９】
＜Ｄ：変形例＞
以上の各形態は様々に変形される。各形態に対する変形の具体的な態様を以下に例示する。なお、以下の例示から２以上の態様を任意に選択して組合わせてもよい。
【００５０】
（１）変形例１  
以上の各形態においては、複数の画素回路ＰIXがｘ方向およびｙ方向にわたって行列状に配列された発光装置１００を例示したが、複数の画素回路ＰIXがｘ方向のみに配列された発光装置１００も好適に採用される。複数の画素回路ＰIXを単列のみに配列した発光装置１００においては、単位回路５０の保持回路６０が１段の単位部６２（ラッチ回路）のみで構成される。したがって、保持回路６０は、補正回路５２による補正後の階調データＱを１個の水平走査期間に相当する時間だけ保持してから参照データＲとして補正回路５２に出力する。補正回路５２は、今回の水平走査期間にて制御回路３６から供給される第ｎ列の階調データＱを参照データＲ（直前の水平走査期間での補正後の階調データＱ）に応じて補正することで今回の水平走査期間の補正後の階調データＱを生成する。複数の画素回路ＰIXが単列に配列する発光装置１００は、例えば、電子写真方式の画像形成装置の像担持体（例えば感光体ドラム）を露光する露光装置として利用される。
【００５１】
（２）変形例２  
以上の各形態においては、補正後の階調データＱ[m,n]_kを参照データＲ[m,n]_kとして保持回路６０に保持したが、階調データＱ[m,n]_kと参照データＲ[m,n]_kとが共通する必要はない。例えば、階調データＱ[m,n]_kを構成する複数のビットのうち上位に位置する一部のビット（例えば８ビットのうちの上位の２ビットや最上位の１ビット）を参照データＲ[m,n]_kとして保持回路６０に保持する構成が好適である。階調データＱ[m,n]_kの一部を参照データＲ[m,n]_kとする構成によれば、保持回路６０に必要な容量が削減されるという利点がある。
【００５２】
（３）変形例３  
以上の各形態においては、保持回路５４から出力される階調データＱ[m,n]_kを保持回路６０に保持したが、補正回路５２が出力した階調データＱ[m,n]_kを直接に（すなわち保持回路５４を経由せずに）保持回路６０に取込む構成も採用される。また、階調信号Ｘ[n]の電位Ｖ[m,n]を出力回路５６が保持する構成においては保持回路５４が省略され得る。
【００５３】
（４）変形例４  
第２実施形態において、第ｎ列の階調データＰ[m,n]_kの補正に適用される参照データＲは、第(n-1)列の画素回路ＰIXの参照データＲ[m,n-1]_k-1や第(n+1)列の画素回路ＰIXの参照データＲ[m,n+1]_k-1に限定されない。例えば、図７に示すように、第ｍ行の第ｎ列に位置する画素回路ＰIXの階調データＰ[m,n]_kの補正に、ｙ方向の負側に位置する画素回路ＰIXの参照データＲ[m-1,n]_k-1とｙ方向の正側に位置する画素回路ＰIXの参照データＲ[m+1,n]_k-1を使用する構成も好適である。参照データＲ[m±1,n]_k-1は、第ｎ列（自列）の保持回路６０から補正回路５２に供給される。
【００５４】
階調データＰ[m,n]_kの補正に使用される参照データＲの個数も任意に変更される。例えば、第ｍ行の第ｎ列の階調データＰ[m,n]_kの補正に、ｘ方向の両側に位置する各画素回路ＰIXの参照データＲ[m,n±1]_k-1と、ｙ方向の両側に位置する各画素回路ＰIXの参照データＲ[m±1,n]_k-1とが使用され得る。また、第ｍ行の第ｎ列に対してｘ方向の負側に位置する２個の画素回路ＰIXの参照データＲ（Ｒ[m,n-2]_k-1，Ｒ[m,n-1]_k-1）と、ｘ方向の正側に位置する２個の画素回路ＰIXの参照データＲ（Ｒ[m,n+1]_k-1，Ｒ[m,n+2]_k-1）とを、階調データＰ[m,n]_kの補正に使用する構成も好適である。
【００５５】
（５）変形例５  
以上の各形態においては、信号線駆動回路３４の単位回路５０毎に保持回路６０を個別に配置したが、Ｎ個の単位回路５０の各々の保持回路６０を単一の記憶回路（すなわちフレームメモリ）として実現した構成も好適である。
【００５６】
（６）変形例６  
階調データＰ[m,n]_kの補正の方法は適宜に変更される。例えば、以上の各形態においては、階調データＰ[m,n]_kと係数（α，β，γ1〜γ3）との乗算で階調データＱ[m,n]_kを生成したが、階調データＰ[m,n]_kと係数（α，β，γ1〜γ3）との加算や減算で階調データＱ[m,n]_kを算定する構成も採用される。
【００５７】
（７）変形例７  
有機ＥＬ素子は発光素子の例示に過ぎない。例えば、無機ＥＬ素子やＬＥＤ（Light Emitting Diode）素子などの発光素子を配列した発光装置にも以上の各態様と同様に本発明が適用される。すなわち、本発明においては、電気エネルギの供給で発光する被駆動素子（典型的には電流駆動型の自発光素子）が発光素子として好適に採用される。
【００５８】
＜Ｅ：応用例＞
次に、以上の各態様に係る発光装置１００を利用した電子機器について説明する。図８ないし図１０には、発光装置１００を表示装置として採用した電子機器の形態が図示されている。
【００５９】
図８は、発光装置１００を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。
【００６０】
図９は、発光装置１００を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【００６１】
図１０は、発光装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【００６２】
なお、本発明に係る発光装置が適用される電子機器としては、図８から図１０に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置の用途は画像の表示に限定されない。例えば、電子写真方式の画像形成装置において露光により感光体ドラムに潜像を形成する露光装置としても本発明の発光装置は利用される。
【図面の簡単な説明】
【００６３】
【図１】本発明の第１実施形態に係る発光装置のブロック図である。
【図２】発光装置の動作を示すタイミングチャートである。
【図３】画素回路の回路図である。
【図４】信号線駆動回路を構成する単位回路のブロック図である。
【図５】第２実施形態における単位回路のブロック図である。
【図６】第３実施形態における補正回路の動作のフローチャートである。
【図７】変形例に係る単位回路のブロック図である。
【図８】電子機器（パーソナルコンピュータ）の斜視図である。
【図９】電子機器（携帯電話機）の斜視図である。
【図１０】電子機器（携帯情報端末）の斜視図である。
【符号の説明】
【００６４】
１００……発光装置、１０……素子部、１２……走査線、１４……信号線、１６，１８……給電線、ＰIX……画素回路、Ｅ……発光素子、ＴDR……駆動トランジスタ、３０……駆動回路、３２……走査線駆動回路、３４……信号線駆動回路、３６……制御回路、５０……単位回路、５２……補正回路、５４，６０……保持回路、５６……出力回路。
【図１】
2010107809.tif 000003
【図２】
2010107809.tif 000004
【図３】
2010107809.tif 000005
【図４】
2010107809.tif 000006
【図５】
2010107809.tif 000007
【図６】
2010107809.tif 000008
【図７】
2010107809.tif 000009
【図８】
2010107809.tif 000010
【図９】
2010107809.tif 000011
【図１０】
2010107809.tif 000012